(57)【要約】【課題】家庭内機器の設定時刻における機器の作動若しくは停止又は設定を集中的又は分散的に管理可能としながらも、それら機器の作動等時刻の設定又は設定変更のための操作を容易になし得るイベント管理機能を備えた計時装置を提供する。【解決手段】計時手段１２ａと、少なくともイベント発生時刻データを含むイベント情報を設定するイベント情報入力手段１７と、他の機器とネットワーク接続可能なインターフェース部１６ａと、設定されたイベント情報をネットワークを介して他の機器に伝送するイベント情報伝送手段１８とからなるイベント管理機能を備えて計時装置を構成する。【選択図】  図３
2004286611.tif 000002
【特許請求の範囲】
【請求項１】
計時手段と、少なくともイベント発生時刻データを含むイベント情報を設定するイベント情報入力手段と、他の機器とネットワーク接続可能なインターフェース部と、設定されたイベント情報をネットワークを介して他の機器に伝送するイベント情報伝送手段とからなるイベント管理機能を備えた計時装置。
【請求項２】
前記イベント情報は、イベント種別データとそのイベント種別データに対応するイベント発生時刻データを含む請求項１記載のイベント管理機能を備えた計時装置。
【請求項３】
前記イベント種別データは、起床予定時刻を前記イベント発生時刻データとする起床イベントを示すデータである請求項２記載のイベント管理機能を備えた計時装置。
【請求項４】
前記イベント情報は、前記イベント発生時刻データに対する相対時刻データを含む請求項１から３のいずれか１項に記載のイベント管理機能を備えた計時装置。
【請求項５】
計時機能を備え、設定時刻に機器の作動若しくは停止又は設定を制御するタイマー制御手段を備えた複数の家庭内機器がネットワーク接続され、請求項１から４のいずれか１項に記載の計時装置からネットワークを介して伝達されたイベント情報に基づいて前記家庭内機器の作動若しくは停止又は設定を管理するイベント管理装置。
【請求項６】
計時機能を備え、設定時刻に機器の作動若しくは停止又は設定を制御するタイマー制御手段を備えた複数の家庭内機器がネットワーク接続され、前記タイマー制御手段に、請求項１から４のいずれか１項に記載の計時装置からネットワークを介して伝達された前記イベント情報に基づいて機器の作動若しくは停止又は設定を制御するイベント対応制御手段を備えてある家庭内機器管理システム。
【発明の詳細な説明】
【０００１】
【発明の属する技術分野】
本発明は、イベント管理機能を備えた計時装置、イベント管理装置、及び、家庭内機器管理システムに関する。
【０００２】
【従来の技術】
近年、炊飯器、エアコンディショナー、給湯設備、コンピュータ等、家庭やオフィスといった家庭内で用いられる殆どの家庭内機器には、夫々個別に計時機能が備わり、予め設定された時刻に機器の作動若しくは停止又は設定を制御するタイマー制御手段が備わっている。
【０００３】
一方、家庭内においてホームネットワーク化が図られつつあり、ハードウェア環境は整いつつあるが、冷暖房機器、給湯機器、炊飯器等の生活機器を含めたネットワーク化による個人の生活様式に基づいた生活環境の快適化が望まれている。
【０００４】
【特許文献１】
特開２０００−５９４０４号公報
【０００５】
【発明が解決しようとする課題】
上述した機器のタイマー制御手段による機能を実現するためには、機器毎に個別に作動時刻等を設定しなければならず、一旦設定した時刻を変更する必要のある場合にはさらに個別に変更設定しなければならないという煩雑さがあり、個々の機器に対する管理の煩雑さも相俟って、せっかくの便利な機能も有効に利用されないという不都合があった。そこで、生活等のスケジュールに合わせて家庭内機器を集中的に管理可能なスケジュール管理サーバーを設けて、各機器の作動若しくは停止又は設定を管理することが考えられるが、日常のスケジュールは常に変動要素が大きく、一度設定しても変更が必要になる場合が多々ある。しかし、そのような設定変更を行なう度にサーバーの設置されている部屋に行き、キーボードなどのデータ入力手段を介してサーバーに記憶されている設定データの変更操作を行なうのは非常に煩雑である。
【０００６】
本発明の目的は、上述した家庭内機器の設定時刻における機器の作動若しくは停止又は設定を集中的又は分散的に管理可能としながらも、それら機器の作動等時刻の設定又は設定変更のための操作を容易になし得るイベント管理機能を備えた計時装置、イベント管理装置、及び、家庭内機器管理システムを提供する点にある。
【０００７】
【課題を解決するための手段】
この目的を達成するための本発明に係るイベント管理機能を備えた計時装置の第一の特徴構成は、特許請求の範囲の欄の請求項１に記載した通り、計時手段と、少なくともイベント発生時刻データを含むイベント情報を設定するイベント情報入力手段と、他の機器とネットワーク接続可能なインターフェース部と、設定されたイベント情報をネットワークを介して他の機器に伝送するイベント情報伝送手段とからなる点にある。
【０００８】
つまり、計時装置には基本機能として時刻表示機能が備わっており、容易に現在時刻の確認ができ、確認された現在時刻から日常のスケジュールの変更の可否が容易に判断できる。そこで、計時装置にイベント情報入力手段を設けてあれば、その場で直ちにイベント発生時刻を設定入力できるのであり、設定入力されたイベント情報はイベント情報伝送手段により他の機器に伝送されるので、極めて容易にイベント情報の設定、変更を行なうことができるのである。
【０００９】
ここで、イベント情報とは、起床、出勤、帰宅、入浴、就寝等、日常の生活におけるさまざまなイベントに関する発生時刻データ等の情報をいい、通常、そのイベントが発生する時刻であるイベント発生時刻を基準として家庭内機器が作動若しくは停止又は設定されるので、各家庭内機器自身がイベント発生時刻を認知していればそのイベント発生時刻を基準に自動的に作動若しくは停止又は設定可能となる。そこで、イベント情報入力手段により計時装置には少なくともイベントの発生時刻データが入力されるように構成してあるのである。
【００１０】
計時装置としては、目覚ましとして機能するアラーム機構を備えてあるものが好適であり、就寝前に翌朝の起床イベントのイベント発生時刻を設定する行為は頻繁に発生するので、その時刻を基準として各家庭内機器の動作が制御可能となる。又、起床時刻以外に、出勤時刻や帰宅時刻の設定も就寝前に限らず容易に設定できるものである。ここでいう計時装置としては、計時手段が備わっている装置であれば目覚まし時計に限るものでななく、携帯電話機、腕時計、オーディオ装置等も含まれる概念である。
【００１１】
同第二の特徴構成は、同欄の請求項２に記載した通り、上述の第一の特徴構成に加えて、前記イベント情報は、イベント種別データとそのイベント種別データに対応するイベント発生時刻データを含む点にあり、これにより、複数のイベントに対してイベント毎にイベント発生時刻を設定できるようになるのである。
【００１２】
同第三の特徴構成は、同欄請求項３に記載した通り、上述の第二の特徴構成に加えて、前記イベント種別データは、起床予定時刻を前記イベント発生時刻データとする起床イベントを示すデータである点にあり、このように構成することで、例えば、よく行なわれる翌朝の起床時刻の設定動作に基づいて、起床に対応するイベント種別データと起床予定時刻に対応するイベント発生時刻データがイベント情報伝送手段を介して出力されるので、煩雑な設定変更操作が不要となるのである。
【００１３】
同第四の特徴構成は、同欄請求項４に記載した通り、上述の第一から第三の特徴構成のいずれかに加えて、前記イベント情報は、前記イベント発生時刻データに対する相対時刻データを含む点にあり、イベント発生時刻に対する相対時刻に対応して家庭内機器の作動等の動作時刻を設定できるようになるのである。
【００１４】
本発明によるイベント管理装置の特徴構成は、同欄請求項５に記載した通り、計時機能を備え、設定時刻に機器の作動若しくは停止又は設定を制御するタイマー制御手段を備えた複数の家庭内機器がネットワーク接続され、上述した第一から第四のいずれかの特徴構成を備えた計時装置からネットワークを介して伝達されたイベント情報に基づいて前記家庭内機器の作動若しくは停止又は設定を管理する点にある。
【００１５】
計時装置により複数の家庭内機器の作動時刻等を個別に設定するのは却って煩雑となる虞がある。従って、イベント管理装置により家庭内機器を集中管理しながらも、その基準となるイベント情報、特に上述したイベント発生時刻データや相対時刻データのみを計時装置により設定可能とすることで、日常のスケジュールの変更に対する設定操作の簡略化を図ることができるのである。
【００１６】
本発明による家庭内機器管理システムの特徴構成は、同欄請求項６に記載した通り、計時機能を備え、設定時刻に機器の作動若しくは停止又は設定を制御するタイマー制御手段を備えた複数の家庭内機器がネットワーク接続され、前記タイマー制御手段に、上述した第一から第四のいずれかの特徴構成を備えた計時装置からネットワークを介して伝達されたイベント情報に基づいて機器の作動若しくは停止又は設定を制御するイベント対応制御手段を備えてある点にある。
【００１７】
このように構成された家庭内機器管理システムによれば、家庭内機器に備わっているタイマー機能を個別に設定する煩雑さを解消して夫々の機器を合理的に制御できるのである。
【００１８】
【発明の実施の形態】
以下、本発明の実施形態を図面に基づいて説明する。図１に示すように、イベント情報による家庭内機器管理システムは、計時機能を備え、設定時刻に機器の作動若しくは停止又は設定を制御するタイマー制御手段１０を備えた複数の家庭内機器１として、アラーム機能付の計時装置１ａ、エアコンディショナー１ｂ、キッチンに設けた炊飯器１ｃ、コーヒーメーカー１ｄ、リビングに設けた床暖房装置１ｅ、エアコンディショナー１ｆ、浴室に設けた給湯器１ｇ、書斎に設置し、外部ネットワークと接続可能なコンピュータ１ｈのそれぞれを、接続手段２としての無線ＬＡＮルータを用いてネットワーク接続してある。
【００１９】
前記コンピュータ１ｈには、本発明による家庭内機器管理用のアプリケーションソフトウェアがインストールされ、イベント情報を管理するイベント管理手段３としての機能を備えており、イベント管理手段３から伝達されたイベント情報に基づいて各家庭内機器１は所定の動作を実行するように構成されている。
【００２０】
前記イベント管理手段３により管理されるイベント情報は、図２に示すように、イベント種別データとしてのイベントＩＤデータと、イベント名称データ、そのイベント種別データに対応付けられたイベント発生時刻データと、そのイベントが発生する日付データと曜日データとからなり、同一のイベント種別データに対して、例えば日付データ又は曜日データ毎に設定可能なように、異なるイベント発生時刻を重複して設定できるように構成してあり、イベント管理手段３に設けられた入力手段（この場合にはコンピュータ１ｈのキーボードやマウスが相当する）から設定入力され、イベント情報メモリ手段（ここでは、コンピュータのハードディスクの一部領域が使用される。）に格納される。
【００２１】
前記イベント管理手段３には、さらに、同一のイベント種別データに対して、いずれのイベント発生時刻データを有効とするかを判別する判別手段を備えてある。判別手段の具体的構成としては、コンピュータに内蔵されているカレンダ機能に基づいて該当する日付データ又は曜日データと一致するイベント情報を有効と判断するように構成することが可能であり、イベント情報に有効か無効かを判別するフラグ情報を設定し、有効フラグがセットされているイベント情報を有効と判断するように構成することもできるが、本実施形態では後者を採用している。ここで、イベント情報は、イベント種別データに対して一意に設定されるように構成することも可能で、この場合には、変更が必要なときにイベント種別データに対応したイベント発生時刻データを前記入力手段を介して書き換えることになる。
【００２２】
前記イベント管理手段３は、前記判別手段により判別された有効なイベント情報を前記無線ＬＡＮを介して接続されている各種の機器１（１ｂ〜１ｈ）に所定の時刻、例えば、新たなイベント情報が設定入力された時、少なくともイベント発生時刻前であって、イベント発生時刻より前に設定される最大相対時刻（相対時刻については後述する）よりも前の所定時刻、或いは所定時間間隔のいずれかのタイミングで配信制御するように構成してある。
【００２３】
前記家庭内機器１は、図４に示すように、機器固有の機能ブロックを制御する機器制御部１５と、機器制御部１５の作動若しくは停止又は設定を制御するタイマー制御手段１０と、無線ＬＡＮインターフェース部１６とを備え、前記タイマー制御手段１０には、計時手段１２と、ローカルで個別に機器の作動若しくは停止又は設定のための時刻を設定し、計時手段１２により計時された時刻が設定時刻になった時に機器の作動若しくは停止又は設定変更動作を行なうローカルタイマー制御手段１４と、前記イベント管理手段３から無線ＬＡＮを介して伝達されたイベント情報に基づいて機器の作動若しくは停止又は設定を制御するイベント対応制御手段１１と、前記ローカルタイマー制御手段１４及び前記イベント対応制御手段１１による所定の時刻データ等の制御データを格納するメモリ手段１３を備えて構成してある。
【００２４】
前記イベント対応制御手段１１は、前記イベント管理手段３から配信されたイベント情報を受信した後、イベント情報に含まれるイベント種別データに基づいて自らの機器の制御に関連するイベントか否かを判断し、自らの機器に対するイベントであると認識したときに、前記メモリ手段１３にイベント対応動作中である識別フラグを設定し、前記イベント発生時刻に対する相対時刻に機器の作動若しくは停止又は設定制御を実行する。
【００２５】
詳述すると、前記メモリ手段１３には、前記ローカルタイマー制御手段１４に設けられた機器設定入力手段（図示せず）を介してマニュアル設定された作動若しくは停止又は設定データと時刻データを格納するマニュアルデータ格納部と、ネットワークを介して得られたイベント情報、及び、その機器が対応すべきイベントＩＤデータとそのイベントＩＤデータに対応した相対時刻データと作動、停止、設定の各動作モードデータを組み合わせたテーブルデータを格納するネットワークデータ格納部と、前記ローカルタイマー制御手段１４による制御と前記イベント対応制御手段１１による制御とのいずれの制御を有効とするのかを識別する識別フラグ領域とに領域区画されており、識別フラグにより前記イベント対応制御手段１１による制御を優先するように設定されているときに上述の制御を実行する。
【００２６】
ここで、イベント情報が自らの機器に関連するものであるか否かの判別データや相対時刻データなどのテーブルデータは、前記機器設定入力手段を介して機器毎に設定可能に構成して、固有の情報として各家庭内機器１により管理されるものであってもよいし、家庭内機器１毎に固有の値として前記イベント管理手段３により集中管理されるように構成してもよい。後者の場合には、テーブルデータはイベント管理手段３の入力手段から設定入力され、無線ネットワークを介してイベント情報とは別に予めメモリ手段１３に設定されるように構成してもよいし、前記イベント管理手段３から伝達されるイベント情報に、対応機器を特定する対応機器ＩＤデータと相対時刻データと作動、停止、設定のいずれかの動作モードデータを付加してイベント情報の受信によりメモリ手段１３に組み込むように構成してもよい。本実施形態では、イベント管理手段３により集中管理され、イベント情報に、対応機器を特定する対応機器ＩＤデータと相対時刻データと作動、停止、設定のいずれかの動作モードデータを付加してイベント情報の受信によりメモリ手段１３に組み込むように構成してある。
【００２７】
このようにして、例えば、一日の朝の生活様式にそってイベント情報により設定された時刻を基準として各種の家庭内機器が制御される。例えば、イベント種別として起床時刻が６時とセットされている場合には、３０分前の５時３０分にエアコンディショナー１ｂ、床暖房装置１ｅ、エアコンディショナー１ｆが作動し、１５分前の５時４５分に炊飯器１ｃによりご飯が炊き上がり、起床時刻の６時に多機能時計１ａによるアラームが鳴動し、１５分後の６時１５分にコーヒーメーカー１ｄによりコーヒーが抽出されるという具合である。
【００２８】
さらに、イベント種別として出勤（外出）時刻が７時３０分とセットされている場合には、７時３０分にエアコンディショナー１ｂ、床暖房装置１ｅ、エアコンディショナー１ｆがオフされ、イベント種別として帰宅時刻が１９時と設定されている場合には、その３０分前に床暖房装置１ｅ、エアコンディショナー１ｆがオンされ、イベント種別として入浴が２２時と設定されている場合には、その時刻にお湯はりが完了するように給湯器１ｇが作動するのである。
【００２９】
上述の家庭内機器管理システムにおいて、前記アラーム付の計時装置１ａにも当然のことながら、図３（ａ）に示すように、機器固有の機能ブロックを制御する機器制御部１５としてのアラーム鳴動部１５ａ及びタッチパネル式の液晶の時刻表示部１５ｂと、機器制御部１５の作動若しくは停止又は設定を制御するタイマー制御手段１０ａと、無線ＬＡＮインターフェース部１６ａとを備え、前記タイマー制御手段１０ａには、計時手段１２ａと、ローカルで個別にアラーム部の作動する時刻を設定し、計時手段１２ａにより計時された時刻が設定時刻になった時にアラームを鳴動させるローカルタイマー制御手段１４ａと、前記イベント管理手段３から無線ＬＡＮを介して伝達されたイベント情報に基づいてアラームを鳴動等させるイベント対応制御手段１１ａと、前記ローカルタイマー制御手段１４ａ及び前記イベント対応制御手段１１ａによる所定の時刻データ等の制御データを格納するメモリ手段１３ａを備えて構成してあるが、さらに、イベント種別データとそのイベント種別データに対応するイベント発生時刻データでなるイベント情報を設定するイベント情報入力手段１７と、設定されたイベント情報をネットワークを介して前記イベント管理手段３としてのコンピュータ１ｈに伝送するイベント情報伝送手段１８を備えてある。
【００３０】
前記イベント情報入力手段１７は、時刻表示部１５ｂのタッチパネルに設定されているイベント情報入力スイッチ（モードスイッチ）１７ａがオンされると、時刻表示部１５ｂをイベント情報入力モードに切り換える。図３（ｂ）に示すように、イベント情報入力モードでは、現在日時、時刻表示欄１７ｇ、イベント種別表示欄１７ｅ、イベント発生時刻表示欄１７ｆ、セットスイッチ１７ｂ、設定スイッチ１７ｃ、１７ｄが表示される。イベント情報入力モードに切り換った時点でイベント種別表示欄１７ｅの枠が点滅し、上下の設定スイッチ１７ｃ、１７ｄをオン操作する度に候補となるイベント名称（起床、出勤、帰宅、入浴等）が表示され、セットスイッチ１７ｂがオン操作された時の表示内容に対応するイベントＩＤデータが決定され、イベント発生時刻表示欄１７ｆの枠が点滅する。その状態で、上下の設定スイッチ１７ｃ、１７ｄをオン操作する度に候補となる時刻データが１時間間隔で更新表示されるので、該当時刻データが表示されている時点でセットスイッチ１７ｂがオン操作された時の時刻データが決定され、同様に、上下の設定スイッチ１７ｃ、１７ｄをオン操作する度に候補となる分データが１分間隔で更新表示されるので、該当分データが表示されている時点でセットスイッチ１７ｂがオン操作された時の分データが決定される。
【００３１】
この状態で更にセットスイッチ１７ｂをオン操作すると、イベント種別表示欄の再設定モードに移行し、以下同様の操作の繰り返しとなる。データが正確に設定され、モードスイッチ１７ａがオン操作されると、前記イベント情報入力手段１７は設定されたデータを前記イベント情報伝送手段１８を介して前記コンピュータ１ｈに伝送するのである。従って、ここでは、イベント情報伝送手段１８としての機能は無線ＬＡＮインターフェース部１６ａにより実現される。
【００３２】
前記イベント情報伝送手段１８からイベント情報を受信したイベント管理手段３としてのコンピュータ１ｈは、上述したイベント情報メモリ手段に設定されたイベント種別毎の発生時刻データの中から対応するデータを書き換えて、所定のタイミングで家庭内機器１に伝送する。
【００３３】
上述した前記イベント情報伝送手段１８により伝送されるイベント情報の設定は前記イベント情報入力手段１７による入力データのみならず、ローカルタイマー制御手段１４ａにより起床のための時刻が設定された時に、起床イベントをイベント種別データとし、設定時刻をイベント発生時刻データとするイベント情報を生成し、前記イベント情報伝送手段１８により伝送することも可能に構成してある。
【００３４】
以上の構成により、イベント管理手段３により管理されるイベント情報をアラーム付の計時装置１ａを介して変更又は設定できるように構成してあるので、設定変更を行なう度にコンピュータ１ｈの設置されている部屋に行き、キーボードなどのデータ入力手段を介して設定データの変更操作を行なうような非常に煩雑な手間を要せずに迅速且つ手軽に設定変更を行なうことができるのである。
【００３５】
以下に別実施形態を説明する。上述の実施形態では、計時装置によるイベント情報の生成を、イベント情報入力手段１７からの入力データによるものと、計時装置本来の機能であるローカルタイマー制御手段１４ａによるアラーム時刻の設定のための入力データによるものとの二系統備えたものを説明したが、いずれか一系統備えてあればよく、特にローカルタイマー制御手段１４ａによるものであれば、イベント種別データの入力操作が不要であり、又入力処理のための特別な機構の付加が不要でシンプルに構成できる。
【００３６】
上述の実施形態では、計時装置１ａによるイベント管理機能として、イベント種別データとイベント発生時刻データを変更、設定管理できるものを説明したが、各家庭内機器１に対する相対時刻データをも変更設定可能に構成してもよいし、イベント種別が単一の場合であればイベント発生時刻データのみ変更設定できるように構成することも可能である。
【００３７】
計時装置は、アラーム機能付の計時装置（目覚まし時計）に限るものではなく、計時手段が備わっている装置であれば携帯電話機、腕時計、オーディオ装置等も含まれる概念である。
【００３８】
上述の実施形態では、コンピュータ１ｈにイベント管理手段３としての機能を備えたものを説明したが、イベント管理手段３としては専用のイベントサーバを設けて構成してもよいし、他の家庭内機器に当該機能を備えるように構成してもよいし、複数の家庭内機器にイベント種別毎に分散して備えるように構成してもよいし、さらには、インターネットを介した外部サーバーに当該機能を備えるように構成してもよい。さらには、上述した計時装置１ａ自身にイベント管理手段としての機能を備えて構成してもよい。
【００３９】
上述の実施形態では、接続手段２として無線ＬＡＮを採用したものを説明したが、無線ＬＡＮとしてはＩＥＥＥ  ８０２．１１ｇ規格等適宜公知の規格を採用できる。また無線ＬＡＮに代えて、イーサネット（登録商標）を利用した有線のＬＡＮ、家庭内の電気配線を利用した電力線を介したデータ伝送方式を採用することも可能である。さらには、家庭内機器同士を１対１の態様で接続するピア・ツー・ピア形の接続形態を採用してもよい。この場合には、ルータのようなネットワーク管理機能を備えた別途の接続手段が無くとも、各機器に組み込まれている通信インターフェース部とそれら間を接続する通信ケーブル（無線の場合にはケーブルは不要であるが）とが接続手段となる。
【００４０】
上述した実施形態では、イベント対応制御手段１１は、前記イベント管理手段３から配信されたイベント情報を受信した後、イベント情報に含まれるイベント種別データに基づいて自らの機器の制御に関連するイベントか否かを判断し、自らの機器に対するイベントであると認識したときに、前記メモリ手段１３にイベント対応動作中である識別フラグを設定し、前記イベント発生時刻に対する相対時刻に機器の作動若しくは停止又は設定制御を実行するものを説明したが、イベント対応制御手段は、イベントの種別を判別することなく受信されたイベント情報に単純に呼応して動作するシンプルな携帯で実現してもよいし、イベント管理手段３がイベント情報を伝達するときに対応する機器にのみ該当イベント情報を伝達するように構成してもよい。
【００４１】
上述の実施形態では、主に家庭内の住人が一人（独身者や単身赴任者等）である場合に好適なものを説明したが、生活パターンが複数存在する家族に対応する場合にもイベント種別毎に機器を設定しておけば対応可能である。ここでイベント種別が家族の誰に対応するものかを認識可能にするためには、イベント名称に名前を付加するように構成すればよい。
【００４２】
上述した家庭内機器はその範囲を上述の実施形態に例示したものに限定されるものではない。例えば、自家用車に適用した場合には、出勤というイベントに対応して事前にアイドリング運転を開始することもできる。又、本発明の技術思想はオフィス内に設置可能な機器にも適用できる。
【００４３】
【発明の効果】
以上説明したように、本発明によれば、家庭内機器の設定時刻における機器の作動若しくは停止又は設定を集中的又は分散的に管理可能としながらも、それら機器の作動等時刻の設定又は設定変更のための操作を容易になし得るイベント管理機能を備えた計時装置、イベント管理装置、及び、家庭内機器管理システムを提供することができるようになった。
【図面の簡単な説明】
【図１】イベント情報による家庭内機器管理システムの構成図
【図２】イベント情報のデータ構成図
【図３】（ａ）は計時装置のブロック構成図であり、（ｂ）は設定画面の説明図
【図４】家庭内機器のブロック構成図
【符号の説明】
１：家庭内機器
１ｈ：計時装置
２：接続手段
３：イベント管理装置
１０：タイマー制御手段
１１：イベント対応制御手段
１２：計時手段
１３：メモリ手段
１４：ローカルタイマー制御手段
１５：機器制御部
１６：無線ＬＡＮインターフェース部
１７：イベント情報入力手段
１８：イベント情報伝送手段
【図１】
2004286611.tif 000003
【図２】
2004286611.tif 000004
【図３】
2004286611.tif 000005
【図４】
2004286611.tif 000006